(57)【要約】  本発明に係る照明装置は、グロースタータ形照明装置において蛍光ランプを点灯させる規格を備えた点灯装置と、蛍光ランプの接続に適合した第１接続部と、グロースタータの接続に適合した第２接続部とを有している照明器具と、第１接続部に取り付けられ、半導体発光素子を備えた照明ランプと、第２接続部に取り付けられ、第２接続部を導通させるためのダミースタータとを備えている。
2017146056.tif 000002
【特許請求の範囲】
【請求項１】
グロースタータ形照明装置において蛍光ランプを点灯させる規格を備えた点灯装置と、前記蛍光ランプの接続に適合した第１接続部と、グロースタータの接続に適合した第２接続部とを有している照明器具と、
前記第１接続部に取り付けられ、半導体発光素子を備えた照明ランプと、
前記第２接続部に取り付けられ、前記第２接続部を導通させるためのダミースタータと
を備えている照明装置。
【請求項２】
前記照明ランプは、
前記半導体発光素子を点灯させるための回路を備えた電源基板と、
前記半導体発光素子を搭載した光源基板と、
透光性のカバーと、前記カバーの両端に配置された第１口金および第２口金とを有しており、内部に前記電源基板および前記光源基板が収められた外郭部と
を備え、
前記電源基板は、前記光源基板と隣り合う位置に、当該電源基板の実装面が前記照明ランプの長手方向に沿うように配置されており、
前記電源基板には前記第１口金を介して外部から電力が供給され、
前記第１口金および前記第２口金は、前記第１接続部に接続可能な形状である請求項１に記載の照明装置。
【請求項３】
前記電源基板は、一部が前記第１口金の内部に収められ、一部が前記カバーの内部に収められている請求項２に記載の照明装置。
【請求項４】
請求項１〜３の何れか１項に記載の前記照明ランプと、前記ダミースタータと、前記照明ランプおよび前記ダミースタータを収納するための包装部材とを備えているランプシステム。
【請求項５】
蛍光ランプを点灯させるためのグロースタータ形の照明器具に取り付け可能であり、半導体発光素子を備えた照明ランプと、
前記照明器具が備える、グロースタータを取り付けるための第２接続部に取り付け可能であり、前記第２接続部を導通させるためのダミースタータと、
前記照明ランプと、前記ダミースタータを収納し、前記ダミースタータが前記照明ランプよりも先に取り出されるように設けられた包装部材と
を備えているランプシステム。
【請求項６】
前記包装部材は筒状であり、前記照明ランプを収納するための第１収納部と、前記ダミースタータを収納するための第２収納部とを備え、
前記第１収納部と前記第２収納部は、前記包装部材の長手方向に隣接して設けられており、
前記包装部材は、前記第２収納部側から開封されるように設けられている請求項４または５に記載のランプシステム。
【請求項７】
前記包装部材は、前記第１収納部側に開封を妨げるような構造を備えている請求項６に記載のランプシステム。
【請求項８】
前記包装部材は、側壁が内側に向かって突出した凸部を備えた第１ロック、第２ロックおよび第３ロックを備えており、
前記第１収納部は、前記第１ロックおよび前記第２ロックに挟まれた空間であり、
前記第２収納部は、前記第２ロックおよび前記第３ロックに挟まれた空間であり、
前記第３ロックは、凸部を引き戻すことで前記ダミースタータが取り出し可能に設けられており、
前記第２ロックは、凸部を引き戻すことで前記照明ランプが取り出し可能に設けられており、
前記第１ロックは、前記第２ロックおよび前記第３ロックに比して開放され難いように設けられている請求項６または７に記載のランプシステム。
【請求項９】
前記第１ロックは開放されないように設けられている請求項８に記載のランプシステム。
【請求項１０】
前記第２ロックは、前記包装部材に収納された前記照明ランプと前記ダミースタータが接触しないように設けられている請求項８または９に記載のランプシステム。
【請求項１１】
前記包装部材は、四角形の断面形状を備え、
前記凸部は前記四角形が備える角のうち対向する２つの角が内側に折り込まれた構造である請求項８〜１０の何れか１項に記載のランプシステム。
【請求項１２】
前記ダミースタータは、前記第２接続部に対応した形状の端子を備えている請求項４〜１１の何れか１項に記載のランプシステム。
【請求項１３】
前記照明ランプは、前記蛍光ランプを取り付けるために前記照明器具に設けられているランプソケットに装着可能な口金を備えている請求項４〜１２の何れか１項に記載のランプシステム。
【請求項１４】
前記照明ランプに巻き付けられた説明書を備えている請求項４〜１３の何れか１項に記載のランプシステム。
【請求項１５】
前記説明書の外側に巻き付けられた帯封を備えている請求項１４に記載のランプシステム。
【請求項１６】
前記帯封は、前記照明ランプから外れないように固定されている請求項１５に記載のランプシステム。
【請求項１７】
前記包装部材は、
前記包装部材の一端に設けられ、底組みされた第１ロックと、
前記包装部材の他端に設けられ、フラップを備える第３ロックと、
前記第１ロックと第３ロックとの間に設けられ、側壁が内側に向かって突出した凸部を備えた第２ロックと、
を備え、
前記第１収納部は、前記第１ロックおよび前記第２ロックに挟まれた空間であり、
前記第２収納部は、前記第２ロックおよび前記第３ロックに挟まれた空間であり、
前記第２ロックは、前記凸部を引き戻すことで前記照明ランプを取り出すことができる請求項６または７に記載のランプシステム。
【請求項１８】
前記包装部材は、
前記包装部材の一端に設けられ、底組みされた第１ロックと、
前記包装部材の他端に設けられ、フラップを備える第３ロックと、
仕切り部材と、
を備え、
前記第１収納部は、前記第１ロックおよび前記仕切り部材に挟まれた空間であり、
前記第２収納部は、前記仕切り部材および前記第３ロックに挟まれた空間である請求項６または７に記載のランプシステム。
【請求項１９】
前記仕切り部材は、前記包装部材の他端と一体となっている請求項１８に記載のランプシステム。
【請求項２０】
前記包装部材は、
前記包装部材の一端に設けられ、底組みされた第１ロックと、
前記包装部材の他端に設けられ、フラップを備える第３ロックと、
前記ダミースタータを収納する第２包装部材と、
を備え、
前記第１収納部は、前記第２包装部材により形成され、
前記第２収納部は、前記第２包装部材および前記第３ロックに挟まれた空間である請求項６または７に記載のランプシステム。
【請求項２１】
請求項４〜２０の何れか１項に記載のランプシステムが備えている前記照明ランプと、前記ダミースタータと、前記照明器具とを備えた照明装置。
【請求項２２】
筒状の包装部材に、開封を妨げるような構造を備えた第１ロックを形成する第１ロック形成工程と、
前記包装部材において前記第１ロックと隣接した第１収納部に照明ランプを収納する工程と、
前記第１収納部の前記第１ロックと対向する端において、前記包装部材に第２ロックを形成する第２ロック形成工程と、
前記包装部材において前記第２ロックと隣接した第２収納部にダミースタータを収納する工程と、
前記第２収納部の前記第２ロックと対向する端に第３ロックを形成する第３ロック形成工程と
を備え、
前記第１ロック形成工程、前記第２ロック形成工程および前記第３ロック形成工程は、前記包装部材の側壁を内側に向かって突出させ凸部を形成する工程を備え、
前記第３ロックは、凸部を引き戻すことによって前記ダミースタータが取り出し可能となるように設けられ、
前記第２ロックは、凸部を引き戻すことによって前記照明ランプが取り出し可能となるように設けられ、
前記照明ランプは、蛍光ランプを点灯させるためのグロースタータ形の照明器具に取り付け可能であり、
前記ダミースタータは、グロースタータを取り付けるために前記照明器具に設けられている第２接続部に取り付け可能であるランプシステムの製造方法。
【請求項２３】
前記第２ロック形成工程では、前記第２ロックを前記照明ランプと前記ダミースタータが接触しないように形成する請求項２２に記載のランプシステムの製造方法。
【請求項２４】
前記包装部材は、四角形の断面形状を備え、
前記第１ロック形成工程、前記第２ロック形成工程および前記第３ロック形成工程では、前記四角形が備える角のうち対向する２つの角を内側に折り込んで前記凸部を形成する請求項２２または２３に記載のランプシステムの製造方法。
【請求項２５】
前記照明ランプに説明書を巻きつける説明書添付工程を備える請求項２２〜２４の何れか１項に記載のランプシステムの製造方法。
【請求項２６】
前記説明書添付工程の後に、説明書に帯封を巻きつける帯封工程を備える請求項２５に記載のランプシステムの製造方法。
【請求項２７】
前記帯封工程の後に、前記照明ランプから前記帯封が外れないように固定する工程を備える請求項２６に記載のランプシステムの製造方法。
【請求項２８】
請求項２２〜２７の何れか１項に記載のランプシステムの製造方法で得られるランプシステムにおいて、
前記凸部を引き戻すことによって前記第３ロックを開放して、前記ダミースタータを取り出す工程と、
前記凸部を引き戻すことによって前記第２ロックを開放して、前記照明ランプを取り出す工程と、
を備える照明装置の組み立て方法。
【発明の詳細な説明】
【技術分野】
【０００１】
本発明はランプシステム、照明装置、ランプシステムの製造方法および照明装置の組み立て方法に係り、蛍光ランプ用のグロースタータ形照明器具に適用可能なＬＥＤランプシステムおよび、それを用いたＬＥＤ照明装置に関する。
【背景技術】
【０００２】
特許文献１〜３には、蛍光ランプを点灯させる規格を備えた照明器具にＬＥＤランプを装着して使用することが可能な照明装置が開示されている。また、特許文献１〜３には、蛍光ランプを点灯させる規格を備えた蛍光ランプ用の照明器具にＬＥＤランプを装着して、ＬＥＤ照明装置として使用する方法が提案されている。この方法では、使用者が蛍光ランプをＬＥＤランプへ交換する作業のみで、ＬＥＤ照明装置を構成できる。一方、非特許文献１には、蛍光ランプ用のグロースタータ形照明器具に対してＬＥＤランプを装着する方法についての国際基準が規定されている。
【先行技術文献】
【特許文献】
【０００３】
【特許文献１】日本特開２００４−１９２８３３号公報
【特許文献２】日本特開２００８−１０３３０４号公報
【特許文献３】日本特開２００８−２７７１８８号公報
【非特許文献】
【０００４】
【非特許文献１】ＩＥＣ６２７７６  Ｅｄｉｔｉｏｎ  １．０  ２０１４−１２
【発明の概要】
【発明が解決しようとする課題】
【０００５】
特許文献１〜３に開示されたＬＥＤ照明装置は、いずれも非特許文献１に開示された国際基準を前提とするものではない。国際基準（ＩＥＣ６２７７６  Ｅｄｉｔｉｏｎ  １．０  ２０１４−１２）に基づいて、蛍光ランプを点灯させるグロースタータ形の照明装置を使用してＬＥＤ照明装置を構成する場合は、蛍光ランプをＬＥＤランプに交換する。そして、グロースタータを取り外し、グロースタータが接続されていた箇所を導通する機能を備えたダミースタータを取り付ける。すなわち、グロースタータをダミースタータに交換する。このような構成および方法では、使用者がＬＥＤ照明装置を組み立てる際に、グロースタータとダミースタータを交換するのを忘れ易い。ここで、グロースタータとダミースタータを交換するのを忘れると、ＬＥＤランプに高電圧が印加される場合がある。このとき、照明装置が高温になる可能性がある。【０００６】
本発明は、上述の問題点を解決するためになされたもので、第１の目的は、国際基準（ＩＥＣ６２７７６  Ｅｄｉｔｉｏｎ  １．０  ２０１４−１２）に基づいて、蛍光ランプ用のグロースタータ形照明器具に半導体発光素子を備えた照明ランプを確実に装着し、安全に使用することが可能な照明装置を得ることである。
第２の目的は、国際基準（ＩＥＣ６２７７６  Ｅｄｉｔｉｏｎ  １．０  ２０１４−１２）に基づいて、蛍光ランプ用のグロースタータ形照明器具に半導体発光素子を備えた照明ランプを確実に装着し、安全に使用することが可能な照明装置を構成するためのランプシステムを得ることである。
第３の目的は、使用者にグロースタータとダミースタータを交換することを促すことができるランプシステムを得ることである。
第４の目的は、使用者にグロースタータとダミースタータを交換することを促すことができるランプシステムを用いた照明装置を得ることである。
第５の目的は、使用者にグロースタータとダミースタータを交換することを促すことができるランプシステムの製造方法を得ることである。
第６の目的は、使用者にグロースタータとダミースタータを交換することを促すことができるランプシステムを用いた照明装置の組み立て方法を得ることである。
【課題を解決するための手段】
【０００７】
本発明に係る照明装置は、グロースタータ形照明装置において蛍光ランプを点灯させる規格を備えた点灯装置と、該蛍光ランプの接続に適合した第１接続部と、グロースタータの接続に適合した第２接続部とを有している照明器具と、該第１接続部に取り付けられ、半導体発光素子を備えた照明ランプと、該第２接続部に取り付けられ、該第２接続部を導通させるためのダミースタータとを備えている。【０００８】
本発明に係るランプシステムは、蛍光ランプを点灯させるためのグロースタータ形の照明器具に取り付け可能であり、半導体発光素子を備えた照明ランプと、該照明器具が備える、グロースタータを取り付けるための第２接続部に取り付け可能であり、該第２接続部を導通させるためのダミースタータと、該照明ランプと、該ダミースタータを収納し、該ダミースタータが該照明ランプよりも先に取り出されるように設けられた包装部材とを備えている。【０００９】
本発明に係るランプシステムの製造方法は、筒状の包装部材に、開封を妨げるような構造を備えた第１ロックを形成する第１ロック形成工程と、該包装部材において該第１ロックと隣接した第１収納部に照明ランプを収納する工程と、該第１収納部の該第１ロックと対向する端において、該包装部材に第２ロックを形成する第２ロック形成工程と、該包装部材において該第２ロックと隣接した第２収納部にダミースタータを収納する工程と、該第２収納部の該第２ロックと対向する端に第３ロックを形成する第３ロック形成工程とを備え、該第１ロック形成工程、該第２ロック形成工程および該第３ロック形成工程は、該包装部材の側壁を内側に向かって突出させ凸部を形成する工程を備え、該第３ロックは、凸部を引き戻すことによって該ダミースタータが取り出し可能となるように設けられ、該第２ロックは、凸部を引き戻すことによって該照明ランプが取り出し可能となるように設けられ、該照明ランプは、蛍光ランプを点灯させるためのグロースタータ形の照明器具に取り付け可能であり、該ダミースタータは、グロースタータを取り付けるために該照明器具に設けられている第２接続部に取り付け可能である。
【発明の効果】
【００１０】
本発明における照明装置では、蛍光ランプの接続に適合した第１接続部に照明ランプが接続され、グロースタータの接続に適合した第２接続部にダミースタータが接続される。ダミースタータは第２接続部を導通する機能を備える。このため、国際基準（ＩＥＣ６２７７６  Ｅｄｉｔｉｏｎ  １．０  ２０１４−１２）に基づいて、蛍光ランプ用のグロースタータ形照明器具に半導体発光素子を備えた照明ランプを確実に装着し、安全に使用することが可能になる。【００１１】
また、本発明におけるランプシステムでは、ダミースタータが照明ランプよりも先に取り出されるように包装部材が設けられる。このため、照明装置の組み立ての際に、使用者はダミースタータの存在を認識し易い。従って、グロースタータとダミースタータを交換することを使用者に促すことが出来る。【００１２】
さらに、本発明におけるランプシステムの製造方法では、照明ランプが収納されている第１収納部の端を閉じている第１ロックが、開封を妨げるように設けられる。このため、照明装置の組み立ての際に、使用者はダミースタータが収納されている第２収納部側から包装部材を開封するように促される。このため、ダミースタータは照明ランプよりも先に取り出され易くなる。従って、使用者はダミースタータの存在を認識し易い。従って、グロースタータとダミースタータを交換することを使用者に促すことが出来る。
【図面の簡単な説明】
【００１３】
【図１】グロースタータ形の蛍光灯照明システムのブロック図である。
【図２】本発明の実施の形態１のＬＥＤ照明システムのブロック図である。
【図３】本発明の実施の形態１における照明ランプの回路ブロック図である。
【図４Ａ】本発明の実施の形態１における照明ランプの平面図である。
【図４Ｂ】本発明の実施の形態１における照明ランプの正面図である。
【図４Ｃ】本発明の実施の形態１における照明ランプの底面図である。
【図４Ｄ】本発明の実施の形態１における照明ランプの左側面図である。
【図４Ｅ】本発明の実施の形態１における照明ランプの右側面図である。
【図５Ａ】本発明の実施の形態１における照明ランプの構造を示す平面図である。
【図５Ｂ】本発明の実施の形態１における照明ランプの構造を示す正面図である。
【図５Ｃ】本発明の実施の形態１における照明ランプの構造を示す底面図である。
【図５Ｄ】本発明の実施の形態１における照明ランプの構造を示す左側面図である。
【図５Ｅ】本発明の実施の形態１における照明ランプの構造を示す右側面図である。
【図６】本発明の実施の形態１におけるダミースタータの外観図である。
【図７Ａ】本発明の実施の形態１におけるダミースタータの構造を示す左側面図である。
【図７Ｂ】本発明の実施の形態１におけるダミースタータの構造を示す正面図である。
【図７Ｃ】本発明の実施の形態１におけるダミースタータの構造を示す断面図である。
【図７Ｄ】本発明の実施の形態１におけるダミースタータの構造を示す右側面図である。
【図７Ｅ】本発明の実施の形態１におけるダミースタータの構造を示す平面図である。
【図７Ｆ】本発明の実施の形態１におけるダミースタータの構造を示す底面図である。
【図８】本発明の実施の形態１におけるランプシステムの外観図（その１）である。
【図９】本発明の実施の形態１におけるランプシステムの外観図（その２）である。
【図１０】本発明の実施の形態１におけるランプシステムの製造方法を示すフローチャート（その１）である。
【図１１Ａ】本発明の実施の形態１におけるランプシステムの製造方法を説明する図（その１）である。
【図１１Ｂ】本発明の実施の形態１におけるランプシステムの製造方法を説明する図（その１）である。
【図１１Ｃ】本発明の実施の形態１におけるランプシステムの製造方法を説明する図（その１）である。
【図１２Ａ】本発明の実施の形態１におけるランプシステムの製造方法を説明する図（その２）である。
【図１２Ｂ】本発明の実施の形態１におけるランプシステムの製造方法を説明する図（その２）である。
【図１２Ｃ】本発明の実施の形態１におけるランプシステムの製造方法を説明する図（その２）である。
【図１３】本発明の実施の形態１の変形例におけるランプシステムの製造方法を示すフローチャートである。
【図１４】本発明の実施の形態１における照明装置の組み立て方法を示すフローチャートである。
【図１５】本発明の実施の形態１におけるランプシステムの製造方法を示すフローチャート（その２）である。
【図１６Ａ】本発明の実施の形態１におけるランプシステムの製造方法を説明する図（その３）である。
【図１６Ｂ】本発明の実施の形態１におけるランプシステムの製造方法を説明する図（その３）である。
【図１６Ｃ】本発明の実施の形態１におけるランプシステムの製造方法を説明する図（その３）である。
【図１７Ａ】本発明の実施の形態１におけるランプシステムの製造方法を説明する図（その４）である。
【図１７Ｂ】本発明の実施の形態１におけるランプシステムの製造方法を説明する図（その４）である。
【図１７Ｃ】本発明の実施の形態１におけるランプシステムの製造方法を説明する図（その４）である。
【図１７Ｄ】本発明の実施の形態１におけるランプシステムの製造方法を説明する図（その４）である。
【図１８】実施の形態２におけるランプシステムの外観図である。
【図１９】実施の形態３におけるランプシステムの外観図である。
【図２０】実施の形態３の変形例におけるランプシステムの外観図である。
【図２１】実施の形態４におけるランプシステムの外観図である。
【発明を実施するための形態】
【００１４】
本発明の実施の形態に係るランプシステム、照明装置、ランプシステムの製造方法および照明装置の組み立て方法について図面を参照して説明する。同じ又は対応する構成要素には同じ符号を付し、説明の繰り返しを省略する場合がある。
【００１５】
実施の形態１．
図１は、グロースタータ形の蛍光灯照明システム８８のブロック図である。蛍光灯照明システム８８において、外部供給電源５０からグロースタータ形照明装置８０に電力が供給される。外部供給電源５０は商用交流電源である。一般に、グロースタータ形照明装置８０は、蛍光ランプ９００を点灯させるためのグロースタータ形の照明器具１００に、蛍光ランプ９００およびグロースタータ８２０を接続することで構成される。
【００１６】
照明器具１００は、点灯装置１１０、第１接続部８４０および第２接続部８２４を備える。点灯装置１１０は、グロースタータ形の蛍光灯照明システム８８において蛍光ランプ９００を点灯させる規格を備えた安定器を備える。第１接続部８４０には、蛍光ランプ９００が接続される。本実施の形態において、蛍光ランプ９００は直管蛍光ランプである。第１接続部８４０は、蛍光ランプ９００の接続に適合した形状のランプソケットである。また、第２接続部８２４にはグロースタータ８２０が接続される。第２接続部８２４は、グロースタータ８２０の接続に適合した形状のグローソケットである。本実施の形態において、照明器具１００は、トラフ型、笠付き、逆富士型、逆富士型（２灯用）、埋め込み型の形状のものを含む。
【００１７】
図２は、本発明の実施の形態１のＬＥＤ照明システム１１のブロック図である。ＬＥＤ照明システム１１において、外部供給電源５０から照明装置１０に電力が供給される。照明装置１０は、上述したグロースタータ形の照明器具１００に照明ランプ３００およびダミースタータ１２０を取り付けることで構成される。照明ランプ３００には、半導体発光素子が搭載されている。本実施の形態において、半導体発光素子はＬＥＤ素子である。
【００１８】
照明ランプ３００は、第１接続部８４０に装着可能な口金を備える。口金は、外部供給電源５０側に接続される第１口金３５０および、点灯装置１１０側に接続される第２口金３５６から構成される。照明ランプ３００は、第１口金３５０および第２口金３５６によって、照明器具１００に固定される。第１口金３５０は、端子対３５１を備える。第２口金３５６は端子対３５７を備える。端子対３５１、３５７は第１接続部８４０と接続される。
【００１９】
ダミースタータ１２０は、第２接続部８２４を導通するために取り付けられる。ダミースタータ１２０は第２接続部８２４に対応した端子を備える。端子の一端は照明ランプ３００の第１口金３５０側と接続される。ダミースタータ１２０の他端は照明ランプ３００の第２口金３５６側と接続される。
【００２０】
本実施の形態において、照明ランプ３００は直管ＬＥＤランプである。照明ランプ３００は、半導体発光素子３１１を点灯させるための電源部３２０と、半導体発光素子３１１を搭載した発光部３１０および外郭部３６０を備える。外郭部３６０は、カバー３４０、第１口金３５０および第２口金３５６から構成される。電源部３２０および発光部３１０は外郭部３６０の内部に配置される。カバー３４０は透光性を備える。
【００２１】
第２口金３５６が備える端子対３５７の内部はヒューズ３３６を介して導通している。従って、端子対３５７は点灯装置１１０とダミースタータ１２０との間を導通する機能を備える。
【００２２】
図３は、本発明の実施の形態１における照明ランプ３００の回路ブロック図である。端子対３５１には、外部供給電源５０から電力が供給される。従って、第１口金３５０は給電口金となる。電源部３２０は、端子対３５１と接続される。電源部３２０では、電源配線部材３３２を介して交流電力を受電する。交流電力は入力部３２３を介して整流部３２４に入力される。整流部３２４において交流電力は直流電力に変換される。整流部３２４の出力電力は平滑部３２５で平滑され、出力部３２６に入力される。
【００２３】
出力部３２６の入力電力、出力電力は検出部３２８に通知される。制御部３２７は、検出部３２８から通知された電力値に基づいて出力部３２６を制御する。この結果、出力部３２６の出力電流が一定になるように、定電流制御が実施される。従って、電源部３２０は定電流回路となる。負荷回路である発光部３１０には、光源配線部材３３３を介して電源部３２０から電力が供給される。この結果、発光部３１０に搭載される半導体発光素子３１１に点灯のための電力が供給される。
【００２４】
図４Ａは、本発明の実施の形態１における照明ランプ３００の平面図である。図４Ｂは、本発明の実施の形態１における照明ランプ３００の正面図である。図４Ｃは、本発明の実施の形態１における照明ランプ３００の底面図である。図４Ｄは、本発明の実施の形態１における照明ランプ３００の左側面図である。図４Ｅは、本発明の実施の形態１における照明ランプ３００の右側面図である。第１口金３５０は、端子対３５１および筒状の形状を備えた筐体３５２から構成される。第２口金３５６は、端子対３５７および筒状の形状を備えた筐体３５８から構成される。第１口金３５０および第２口金３５６は、第１接続部８４０であるランプソケットに装着可能な外形である。また、端子対３５１、３５７はランプソケットに対応した端子形状のものを用いることができる。端子対３５１、３５７として、図４Ａ〜Ｅに示すＧ１３タイプ、またはＧＸ１６タイプなどを採用することができる。
【００２５】
図５Ａは、本発明の実施の形態１における照明ランプ３００の構造を示す平面図である。図５Ｂは、本発明の実施の形態１における照明ランプ３００の構造を示す正面図である。図５Ｃは、本発明の実施の形態１における照明ランプ３００の構造を示す底面図である。図５Ｄは、本発明の実施の形態１における照明ランプ３００の構造を示す左側面図である。図５Ｅは、本発明の実施の形態１における照明ランプ３００の構造を示す右側面図である。電源部３２０は、電源基板３２２および、電源基板３２２に実装された回路部品３２１から構成される。電源基板３２２には、配線パターンが形成される。配線パターンと回路部品３２１は定電流回路を構成する。
【００２６】
電源基板３２２は、電源基板３２２の法線方向が照明ランプ３００の長手方向に対して垂直になるように配置される。このとき、図５Ａ〜Ｅに示されるように電源基板３２２の実装面が照明ランプ３００の長手方向に沿うように配置される。電源部３２０は筐体３５２に保持された状態で、第１口金３５０の内部に一部が収納されている。電源部３２０のうち、第１口金３５０から露出する部分はカバー３４０の内部に収納されている。この構成では、電源部３２０を第１口金３５０に収まるように配置される場合と比較して、電源基板３２２の面積を大きくすることが出来る。このため、電源基板３２２上に配置される回路部品３２１間の間隔を広く確保することが可能になる。従って、放熱性が向上し、電源部３２０の動作熱の発生を分散させることが可能になる。
【００２７】
照明ランプ３００において、筐体３５２、３５８およびカバー３４０に樹脂を採用することがある。本実施の形態では、電源基板３２２の面積を大きくすることで、電源部３２０の発熱が抑制される。従って、樹脂部分が受ける熱量を抑制することが出来る。さらに、電源基板３２２の面積を大きくすることで、部品間の間隔が広くなる。従って、照明ランプ３００の外部から侵入する高電圧ノイズに対する絶縁耐性が向上する。
【００２８】
発光部３１０は、半導体発光素子３１１、光源基板３１２および基体３１３から構成される。光源基板３１２は、電源基板３２２と隣り合う位置に配置される。光源基板３１２は、基体３１３の表面に配置される。基体３１３は、放熱機能を備えたヒートシンクである。半導体発光素子３１１は光源基板３１２の表面に実装される。発光部３１０は、カバー３４０の内壁によって保持された状態で、カバー３４０に収納されている。光源基板３１２は、紙フェノール、ガラス、金属および、これらの何れかを混合した材料を採用することが出来る。なお、光源基板３１２はリジットタイプでもフレキシブルタイプでも良い。本実施の形態において、半導体発光素子３１１はＬＥＤ素子であるものとした。これに対し半導体発光素子３１１は、有機ＥＬ素子または半導体レーザであるとしても良い。
【００２９】
図６は、本発明の実施の形態１におけるダミースタータ１２０の外観図である。ダミースタータ１２０は、端子１２２および筐体１２１を備える。ダミースタータ１２０は、第２接続部８２４であるグローソケットに対応した外形のものを採用することができる。また、端子１２２はグローソケットに装着可能なものを採用する。端子１２２には、図６に示すＰタイプ、またはＥタイプなどを採用することが出来る。
【００３０】
図７Ａは、本発明の実施の形態１におけるダミースタータ１２０の構造を示す左側面図である。図７Ｂは、本発明の実施の形態１におけるダミースタータ１２０の構造を示す正面図である。図７Ｃは、本発明の実施の形態１におけるダミースタータ１２０の構造を示す断面図である。図７Ｄは、本発明の実施の形態１におけるダミースタータ１２０の構造を示す右側面図である。図７Ｅは、本発明の実施の形態１におけるダミースタータ１２０の構造を示す平面図である。図７Ｆは、本発明の実施の形態１におけるダミースタータ１２０の構造を示す底面図である。ダミースタータ１２０において、２つの端子１２２は筐体１２１の内部で接続されている。従って、第２接続部８２４であるグローソケットにダミースタータ１２０を取り付けることで、グローソケットを導通することが可能になる。また、２つの端子１２２は、ヒューズ１２３を介して接続されている。
【００３１】
図８は、本発明の実施の形態１におけるランプシステム６０の外観図（その１）である。ランプシステムは、照明ランプ３００、ダミースタータ１２０および、それらを収納した包装部材６００から構成される。包装部材６００は、表面に添付された製品ラベル６１６を備える。製品ラベル６１６には、製品型番などが印字されている。
【００３２】
包装部材６００は筒状の形状を有する。包装部材６００は、短手方向における断面形状が四角形である。包装部材６００は一端に第１ロック６１３を備える。また、包装部材６００は他端に第３ロック６１５を備える。第１ロック６１３と第３ロック６１５の間において、包装部材６００は第２ロック６１４を備える。第１ロック６１３、第２ロック６１４および第３ロック６１５は、包装部材６００の側壁が内側に向かって突出した凸部６２３、６２４、６２５を備える。
【００３３】
本実施の形態では、凸部６２３、６２４、６２５は包装部材６００の四角形の断面形状が備える４つの角のうち、対向する２つの角が内側に折り込まれた構造である。第１ロック６１３において、対抗する２つの角に形成された凸部６２３の頂点部分同士が接している。第２ロック６１４および第３ロック６１５についても同様である。このため、第１ロック６１３、第２ロック６１４および第３ロック６１５において、包装部材６００の内部が区切られている。
【００３４】
第１収納部６１１は、第１ロック６１３および第２ロック６１４に挟まれた空間である。また、第２収納部６１２は、第２ロック６１４および第３ロック６１５に挟まれた空間である。第２収納部６１２は、第１収納部６１１と包装部材６００の長手方向に隣接して設けられる。第１収納部６１１には、照明ランプ３００が収納される。第２収納部６１２には、ダミースタータ１２０が収納される。第２ロック６１４は、照明ランプ３００とダミースタータ１２０が接触しないように設けられる。これにより、包装部材６００に収納された照明ランプ３００とダミースタータ１２０が、輸送時に損傷を受ける可能性を抑制することが出来る。
【００３５】
第１ロック６１３、第２ロック６１４および第３ロック６１５は、凸部６２３、６２４、６２５を押し込むことで閉じることが出来る。ここで、第１ロック６１３は、開封できないように閉塞される不可逆のロック機構である。第１ロック６１３には、開封を妨げるような構造を備える。これに対し、第２ロック６１４および第３ロック６１５は、凸部６２４、６２５を押し戻すことで開封することが出来る可逆なロック機構である。また、第２ロック６１４および第３ロック６１５は、凸部６２４、６２５を引き戻すことで開封するものとしても良い。
【００３６】
本実施の形態では、第３ロック６１５は、凸部６２５が包装部材６００の端部に配置されるように設けられる。従って、凸部６２５を押し戻すことで、第２収納部６１２が開封される。このため、第２収納部６１２に収納されたダミースタータ１２０を取り出す事が出来る。これに対し、第１ロック６１３において、凸部６２３は、包装部材６００の端部から一定の間隔をあけて配置される。また、包装部材６００において、第１ロック６１３が形成される側の端部は閉塞されている。このため、凸部６２５を押し戻しても第１収納部６１１を開封することは出来ない。第１収納部６１１に収納された照明ランプ３００を取り出すためには、ダミースタータ１２０を取り出した後に、第２ロック６１４を開封して取り出す必要がある。
【００３７】
以上から、本実施の形態では、第１ロック６１３は、第２ロック６１４および第３ロック６１５に比べて開放され難いように設けられている。従って、ランプシステム６０の使用者は、ダミースタータ１２０を照明ランプ３００よりも先に取り出すように促される。
【００３８】
グロースタータ形照明装置８０に、照明ランプ３００を取り付けて照明装置１０を構成する場合、蛍光ランプ９００を照明ランプ３００と付け替える。さらに、グロースタータ８２０を取り外し、ダミースタータ１２０を取り付けることが必要とされる。このような構成では、使用者はグロースタータとダミースタータを交換するのを忘れ易い。
【００３９】
これに対し、本実施の形態におけるランプシステム６０では、使用者はダミースタータ１２０を照明ランプ３００よりも先に取り出すように促される。このため、照明装置１０の組み立ての際に、使用者はダミースタータ１２０の存在を認識し易い。従って、本実施の形態によれば、グロースタータ８２０とダミースタータ１２０を交換することを使用者に促すことが出来る。このため、照明ランプ３００のみが交換されるような不確実な施工が実施される可能性を抑制することができる。
【００４０】
本実施の形態では、包装部材６００は、断面形状が四角形であるものとした。これに対し、包装部材６００は筒状であれば円形、三角形またはその他の多角形の断面形状を有しても良い。また、第１ロック６１３、第２ロック６１４および第３ロック６１５は、包装部材６００の内部を区切ることが出来れば別の構造でも良い。また、凸部６２３、６２４、６２５は、包装部材６００の側壁が内側に向かって突出した構造であれば、別の構造でも良い。
【００４１】
また、第１ロック６１３は、凸部６２３が、包装部材６００の端部から一定の間隔をあけて配置されことで、凸部６２３を押し戻しても第１収納部６１１を開封することが出来ない構造とした。これに対し、第１ロック６１３は開封を妨げるような構造を備えれば、別の構造でも良い。例えば、粘着テープで第１収納部６１１側の端に封をするものとしても良い。また、凸部６２３を接着剤で固定し、開放されないように設けるものとしても良い。
【００４２】
図９は、本発明の実施の形態１におけるランプシステムの外観図（その２）である。包装部材６００の長手方向の長さ寸法Ｌ６０は、照明ランプ３００の長さ寸法Ｌ１とダミースタータ１２０の長さ寸法Ｌ１０とを足した寸法よりも大きい（Ｌ６０＞Ｌ１＋Ｌ１０）。また、第１収納部６１１の長さ寸法Ｌ６１は、照明ランプ３００の端子対３５１、３５７を除く部分の長さ寸法よりも大きい（Ｌ６１＞Ｌ１−２×Ｌ５）。また、第２収納部６１２の長さ寸法Ｌ６２は、ダミースタータ１２０の端子１２２を除く部分の長さ寸法Ｌ１１よりも大きい（Ｌ６２＞Ｌ１１）。
【００４３】
第１収納部６１１および第２収納部６１２の長さ寸法は、照明ランプ３００およびダミースタータ１２０が安定して保持される寸法に調整されている。照明ランプ３００は、第１ロック６１３および第２ロック６１４が閉塞されることによって、第１収納部６１１内に安定に保持される。ダミースタータ１２０は、第２ロック６１４および第３ロック６１５が閉塞されることによって、第２収納部６１２内に安定に保持される。以上から、包装部材６００に収納された照明ランプ３００およびダミースタータ１２０が、製造される場所から施工される場所への輸送時に損傷を受ける可能性を抑制することが出来る。
【００４４】
ここで、第１収納部の長さ寸法Ｌ６１は、照明ランプ３００の端子対３５１、３５７を除く部分の長さ寸法よりも大きく、照明ランプ３００の長さ寸法Ｌ１より小さいものとしても良い（Ｌ１＞Ｌ６１＞Ｌ１−２×Ｌ５）。また、第２収納部６１２の長さ寸法Ｌ６２は、ダミースタータ１２０の端子１２２を除く部分の長さ寸法Ｌ１１よりも大きく、ダミースタータ１２０の長さ寸法Ｌ１０より小さいものとしても良い（Ｌ１０＞Ｌ６２＞Ｌ１１）。この構成では、包装部材６００内部において、照明ランプ３００およびダミースタータ１２０が移動可能な範囲を制限することができる。従って、照明ランプ３００およびダミースタータ１２０が、輸送時に損傷を受ける可能性を抑制することが出来る。
【００４５】
図１０は、本発明の実施の形態１におけるランプシステム６０の製造方法を示すフローチャート（その１）である。図１１Ａ〜Ｃは、本発明の実施の形態１におけるランプシステム６０の製造方法を説明する図（その１）である。図１２Ａ〜Ｃは、本発明の実施の形態１におけるランプシステム６０の製造方法を説明する図（その２）である。図１０、図１１Ａ〜Ｃおよび図１２Ａ〜Ｃを用いて、ランプシステム６０の製造方法を説明する。
【００４６】
まず、第１ロック形成工程を実施する。第１ロック形成工程では、包装部材６００に設けられた第１ロック６１３を閉塞する（Ｓ１０１）。この時、第１ロック６１３の開封を妨げるように、凸部６２３を設ける。次に、照明ランプ３００を第１収納部６１１に収納する（Ｓ１０２）。次に、第２ロック形成工程を実施する。第２ロック形成工程では、第２ロック６１４を折り畳み、凸部６２４を形成する（Ｓ１０３）。次に、ダミースタータ１２０を第２収納部６１２に収納する（Ｓ１０４）。次に、第３ロック形成工程を実施する。第３ロック形成工程では、第３ロック６１５を折り畳み、凸部６２５を形成する（Ｓ１０５）。
【００４７】
図１３は、本発明の実施の形態１の変形例におけるランプシステム６０の製造方法を示すフローチャートである。ランプシステム６０は次の手順で組み立てても良い。まず、包装部材６００に設けられた第３ロック６１５を折り畳み、凸部６２５を形成する（Ｓ１０５）。次に、ダミースタータ１２０を第２収納部６１２に収納する（Ｓ１０４）。次に、第２ロック６１４を折り畳み、凸部６２４を形成する（Ｓ１０３）。次に、照明ランプ３００を第１収納部６１１に収納する（Ｓ１０２）。次に、第１ロック６１３を閉塞する（Ｓ１０１）。この時、第１ロック６１３の開封を妨げるように、凸部６２５を設ける。
【００４８】
図１４は、本発明の実施の形態１における照明装置１０の組み立て方法を示すフローチャートである。本実施の形態に係るランプシステム６０を用いて、照明装置１０を組み立てる方法を以下に示す。まず、第３ロック６１５を開放する（Ｓ２０１）。次に、第２収納部６１２からダミースタータを取り出す（Ｓ２０２）。次に、第２ロック６１４を開放する（Ｓ２０３）。次に、照明ランプ３００を取り出す（Ｓ２０４）。
【００４９】
図１５は、本発明の実施の形態１におけるランプシステム６０の製造方法を示すフローチャート（その２）である。図１６Ａ〜Ｃは、本発明の実施の形態１におけるランプシステム６０の製造方法を説明する図（その３）である。図１７Ａ〜Ｄは、本発明の実施の形態１におけるランプシステム６０の製造方法を説明する図（その４）である。ランプシステム６０において、照明ランプ３００には、説明書３６１および帯封３６２が添付される。図１５、図１６Ａ〜Ｃおよび図１７Ａ〜Ｄを用いて、説明書３６１および帯封３６２の取り付け方法について説明する。
【００５０】
まず、説明書添付工程を実施する。説明書添付工程では、照明ランプ３００に説明書３６１を巻装する（Ｓ３０１）。説明書３６１は、ランプシステム６０の取り扱い説明書である。図１６Ａ〜Ｃに示すように、説明書３６１は、照明ランプ３００のカバー３４０の周囲に巻き付けるように取り付ける。照明ランプ３００の両端には第１口金３５０、第２口金３５６が備えられる。第１口金３５０および第２口金３５６の外周は、カバー３４０の外周よりも大きい。このため、カバー３４０の周囲に説明書を巻きつけることで、説明書３６１が照明ランプ３００の端部から外れるのを防ぐ事が出来る。
【００５１】
次に、帯封工程を実施する。帯封工程では、図１７Ａ〜Ｃに示すように、説明書３６１の周囲に帯封３６２を巻装する（Ｓ３０２）。次に、粘着テープ３６３を用いて、帯封３６２を固定する（Ｓ３０３）。帯封３６２によって外側から固定されることで、説明書３６１がカバー３４０に巻き付けられた状態が保持される。また、固定のための粘着テープ３６３を説明書３６１に付着させずに、説明書３６１を固定することができる。本実施の形態では、粘着テープ３６３で帯封３６２を固定するものとした。これに対し、帯封３６２は接着剤で固定するものとしても良い。
【００５２】
実施の形態２．
図１８を参照して、実施の形態２について説明する。なお、実施の形態１と異なる部分を中心に説明し、実施の形態１と共通の部分については説明を省略する。図１８は、実施の形態２におけるランプシステム６０ａの外観図である。ランプシステム６０ａは、実施の形態１に対して包装部材６００ａを採用している点が異なる。
【００５３】
包装部材６００ａは筒状の形状を有する。包装部材６００ａは、短手方向における断面形状が四角形である。包装部材６００ａは、Ｂ式と呼ばれる形式の包装部材である。また、包装部材６００ａは、キャラメルタイプとも呼ばれる形式の包装部材である。包装部材６００ａにおいて長手方向の一端に第１ロック６１３ａが設けられている。第１ロック６１３ａは、底組みされた底面である。
【００５４】
また、包装部材６００ａにおいて長手方向の他端には、第３ロック６１５ａが設けられている。第３ロック６１５ａは、開閉自在のフラップを備える。フラップは、包装部材６００ａのフタ部分である。第１ロック６１３ａと第３ロック６１５ａとの間において、包装部材６００ａは第２ロック６１４を備える。第２ロック６１４は、包装部材６００ａの側壁が内側に向かって突出した凸部６２４となる。第２ロック６１４は、凸部６２４を引き戻すことで照明ランプ３００が取り出し可能に設けられている。
【００５５】
本実施の形態では、包装部材６００ａの他端に設けられた第３ロック６１５ａは開閉が容易である。これに対し、第１ロック６１３ａは底組みされており、開閉が困難である。このため、使用者は、第２収納部６１２ａに収納されたダミースタータ１２０を取り出した後に、第２ロック６１４を開封して、第１収納部６１１ａに収納された照明ランプ３００を取り出すように促される。
【００５６】
本実施の形態では、第１ロック６１３ａは、第２ロック６１４および第３ロック６１５ａに比べて開放され難いように設けられている。従って、ランプシステム６０ａの使用者は、ダミースタータ１２０を照明ランプ３００よりも先に取り出すように促される。
【００５７】
実施の形態３．
図１９を参照して、実施の形態３について説明する。なお、実施の形態１と異なる部分を中心に説明し、実施の形態１と共通の部分については説明を省略する。図１９は、実施の形態３におけるランプシステム６０ｂの外観図である。ランプシステム６０ｂは、実施の形態１に対して包装部材６００ｂを採用している点が異なる。
【００５８】
包装部材６００ｂは筒状の形状を有する。包装部材６００ｂは、短手方向における断面形状が四角形である。包装部材６００ｂは、Ｂ式と呼ばれる形式の包装部材である。また、包装部材６００ｂは、キャラメルタイプとも呼ばれる形式の包装部材である。包装部材６００ｂは長手方向の一端に底組みされた底面である第１ロック６１３ａが設けられている。また、包装部材６００ｂの他端には、開閉自在のフラップである第３ロック６１５ａが設けられている。
【００５９】
本実施の形態では、包装部材６００ｂは、第１収納部６１１ｂと第２収納部６１２ｂとを仕切る仕切り部材６７０を備えている。仕切り部材６７０は、照明ランプ３００とダミースタータ１２０とが包装部材６００ｂに収納された状態において、照明ランプ３００とダミースタータ１２０との間に配置されている。本実施の形態では、第１収納部６１１ｂは、第１ロック６１３ａおよび仕切り部材６７０に挟まれた空間である。また、第２収納部６１２ｂは、仕切り部材６７０および第３ロック６１５ａに挟まれた空間である。本実施の形態では、第１ロック６１３ａと第３ロック６１５ａとの間において、包装部材６００ｂは、実施の形態１または２に示すような第２ロック６１４を備えていない。
【００６０】
本実施の形態では、包装部材６００ｂの他端側に設けられた第３ロック６１５ａは開閉が容易であるのに対し、第１ロック６１３ａは底組みされており開閉が困難である。このため使用者は、第２収納部６１２ｂに収納されたダミースタータ１２０を取り出した後に、仕切り部材６７０を取り出し、第１収納部６１１ｂに収納された照明ランプ３００を取り出すように促される。
【００６１】
本実施の形態では、第１ロック６１３ａは、第３ロック６１５ａに比べて開放され難いように設けられている。従って、ランプシステム６０ｂの使用者は、ダミースタータ１２０を照明ランプ３００よりも先に取り出すように促される。また、包装部材６００ｂは第２ロック６１４を備えていない。このため、包装部材６００ｂは全体が閉塞される。従って、包装部材６００ｂの内部への埃および異物の侵入を防止できる。このため、照明ランプ３００およびダミースタータ１２０を汚れおよび損傷から保護できる。
【００６２】
図２０は、実施の形態３の変形例におけるランプシステム６０ｃの外観図である。本変形例に係る包装部材６００ｃには、第３ロック６１５ｃが設けられている。第３ロック６１５ｃは、開閉自在のフラップである。本変形例では、第３ロック６１５ｃの一部が、仕切り部材６７０ｃを兼ねている点が実施の形態３と異なる。第３ロック６１５ｃは仕切り部材６７０ｃを備える。仕切り部材６７０ｃは、包装部材６００ｃの他端と一体となっている。このような構成とすることによって、ランプシステム６０ｃの製造工程において、仕切り部材６７０ｃを確実に配置できる。従って、照明ランプ３００およびダミースタータ１２０を衝撃などから保護できる。
【００６３】
実施の形態４．
図２１を参照して、実施の形態４について説明する。なお、実施の形態１と異なる部分を中心に説明し、実施の形態１と共通の部分については説明を省略する。図２１は、本発明の実施の形態４におけるランプシステム６０ｄの外観図である。ランプシステム６０ｄは、実施の形態１に対して包装部材６００ｄを採用している点が異なる。
【００６４】
包装部材６００ｄは筒状の形状を有する。包装部材６００ｄは、短手方向における断面形状が四角形である。包装部材６００ｄは、Ｂ式と呼ばれる形式の包装部材である。また、包装部材６００ｄは、キャラメルタイプとも呼ばれる形式の包装部材である。包装部材６００ｄには長手方向の一端に、底組みされた底面である第１ロック６１３ａが設けられている。また、包装部材６００ｄの他端には開閉自在のフラップである第３ロック６１５ａが設けられている。
【００６５】
本実施の形態においてダミースタータ１２０は、第２包装部材６１７によって個別に包装されている。ダミースタータ１２０は第２包装部材６１７に包装された状態で包装部材６００ｄに収納される。照明ランプ３００およびダミースタータ１２０は、包装部材６００ｄに収納された状態において、第２包装部材６１７によって仕切られた状態で配置される。このため、本実施の形態では、第２包装部材６１７は、第１収納部６１１ｄと第２収納部６１２ｄとを仕切る機能を兼ね備えている。本実施の形態では、第２包装部材６１７の内部が第２収納部６１２ｄとなる。
【００６６】
本実施の形態では、第３ロック６１５ａは開閉が容易であるのに対し、第１ロック６１３ａは底組みされており開閉が困難である。このため、使用者は、第２収納部６１２ｄに収納されているダミースタータ１２０を取り出してから、第１収納部６１１ｄに収納された照明ランプ３００を取り出すように促される。
【００６７】
本実施の形態では、第１ロック６１３ａは、第３ロック６１５ａに比べて開放され難いように設けられている。従って、ランプシステム６０ｄの使用者は、ダミースタータ１２０を照明ランプ３００よりも先に取り出すように促される。また、包装部材６００ｄは第２ロック６１４を備えていない。このため、包装部材６００ｄは全体が閉塞される。従って、包装部材６００ｄの内部への埃および異物の侵入を防止できる。このため、照明ランプ３００およびダミースタータ１２０を汚れおよび損傷から保護できる。
【００６８】
なお、各実施の形態で説明した技術的特徴は適宜に組み合わせて用いてもよい。
【符号の説明】
【００６９】
１０  照明装置、６０  ランプシステム、８０  グロースタータ形照明装置、１００  照明器具、１１０  点灯装置、１２０  ダミースタータ、３００  照明ランプ、３１１  半導体発光素子、３１２  光源基板、３２２  電源基板、３４０  カバー、３５０  第１口金、３５６  第２口金、３６０  外郭部、３６１  説明書、３６２  帯封、６００、６００ａ、６００ｂ、６００ｃ、６００ｄ  包装部材、６１１  第１収納部、６１２  第２収納部、６１３、６１３ａ  第１ロック、６１４  第２ロック、６１５、６１５ａ、６１５ｃ  第３ロック、６７０、６７０ｃ  仕切り部材、６１７  第２包装部材、６２３、６２４、６２５  凸部、８２０  グロースタータ、８２４  第２接続部、８４０  第１接続部、９００  蛍光ランプ
【図１】
2017146056.tif 000003
【図２】
2017146056.tif 000004
【図３】
2017146056.tif 000005
【図４Ａ】
2017146056.tif 000006
【図４Ｂ】
2017146056.tif 000007
【図４Ｃ】
2017146056.tif 000008
【図４Ｄ】
2017146056.tif 000009
【図４Ｅ】
2017146056.tif 000010
【図５Ａ】
2017146056.tif 000011
【図５Ｂ】
2017146056.tif 000012
【図５Ｃ】
2017146056.tif 000013
【図５Ｄ】
2017146056.tif 000014
【図５Ｅ】
2017146056.tif 000015
【図６】
2017146056.tif 000016
【図７Ａ】
2017146056.tif 000017
【図７Ｂ】
2017146056.tif 000018
【図７Ｃ】
2017146056.tif 000019
【図７Ｄ】
2017146056.tif 000020
【図７Ｅ】
2017146056.tif 000021
【図７Ｆ】
2017146056.tif 000022
【図８】
2017146056.tif 000023
【図９】
2017146056.tif 000024
【図１０】
2017146056.tif 000025
【図１１Ａ】
2017146056.tif 000026
【図１１Ｂ】
2017146056.tif 000027
【図１１Ｃ】
2017146056.tif 000028
【図１２Ａ】
2017146056.tif 000029
【図１２Ｂ】
2017146056.tif 000030
【図１２Ｃ】
2017146056.tif 000031
【図１３】
2017146056.tif 000032
【図１４】
2017146056.tif 000033
【図１５】
2017146056.tif 000034
【図１６Ａ】
2017146056.tif 000035
【図１６Ｂ】
2017146056.tif 000036
【図１６Ｃ】
2017146056.tif 000037
【図１７Ａ】
2017146056.tif 000038
【図１７Ｂ】
2017146056.tif 000039
【図１７Ｃ】
2017146056.tif 000040
【図１７Ｄ】
2017146056.tif 000041
【図１８】
2017146056.tif 000042
【図１９】
2017146056.tif 000043
【図２０】
2017146056.tif 000044
【図２１】
2017146056.tif 000045
【手続補正書】
【提出日】平成30年5月11日(2018.5.11)
【手続補正１】
【補正対象書類名】特許請求の範囲
【補正対象項目名】全文
【補正方法】変更
【補正の内容】
【特許請求の範囲】
【請求項１】
グロースタータ形照明装置において蛍光ランプを点灯させる規格を備えた点灯装置と、前記蛍光ランプの接続に適合した第１接続部と、グロースタータの接続に適合した第２接続部とを有している照明器具と、
前記第１接続部に取り付けられ、半導体発光素子を備えた照明ランプと、
前記第２接続部に取り付けられ、前記第２接続部を導通させるためのダミースタータと、
前記照明ランプおよび前記ダミースタータを収納するための包装部材と、
を備えているランプシステム。
【請求項２】
前記照明ランプは、
前記半導体発光素子を点灯させるための回路を備えた電源基板と、
前記半導体発光素子を搭載した光源基板と、
透光性のカバーと、前記カバーの両端に配置された第１口金および第２口金とを有しており、内部に前記電源基板および前記光源基板が収められた外郭部と
を備え、
前記電源基板は、前記光源基板と隣り合う位置に、当該電源基板の実装面が前記照明ランプの長手方向に沿うように配置されており、
前記電源基板には前記第１口金を介して外部から電力が供給され、
前記第１口金および前記第２口金は、前記第１接続部に接続可能な形状である請求項１に記載のランプシステム。
【請求項３】
前記電源基板は、一部が前記第１口金の内部に収められ、一部が前記カバーの内部に収められている請求項２に記載のランプシステム。
【請求項４】
蛍光ランプを点灯させるためのグロースタータ形の照明器具に取り付け可能であり、半導体発光素子を備えた照明ランプと、
前記照明器具が備える、グロースタータを取り付けるための第２接続部に取り付け可能であり、前記第２接続部を導通させるためのダミースタータと、
前記照明ランプと、前記ダミースタータを収納し、前記ダミースタータが前記照明ランプよりも先に取り出されるように設けられた包装部材と
を備えているランプシステム。
【請求項５】
前記包装部材は筒状であり、前記照明ランプを収納するための第１収納部と、前記ダミースタータを収納するための第２収納部とを備え、
前記第１収納部と前記第２収納部は、前記包装部材の長手方向に隣接して設けられており、
前記包装部材は、前記第２収納部側から開封されるように設けられている請求項１から請求項４の何れか1項に記載のランプシステム。
【請求項６】
前記包装部材は、前記第１収納部側に開封を妨げるような構造を備えている請求項５に記載のランプシステム。
【請求項７】
前記包装部材は、側壁が内側に向かって突出した凸部を備えた第１ロック、第２ロックおよび第３ロックを備えており、
前記第１収納部は、前記第１ロックおよび前記第２ロックに挟まれた空間であり、
前記第２収納部は、前記第２ロックおよび前記第３ロックに挟まれた空間であり、
前記第３ロックは、凸部を引き戻すことで前記ダミースタータが取り出し可能に設けられており、
前記第２ロックは、凸部を引き戻すことで前記照明ランプが取り出し可能に設けられており、
前記第１ロックは、前記第２ロックおよび前記第３ロックに比して開放され難いように設けられている請求項５または請求項６に記載のランプシステム。
【請求項８】
前記第１ロックは開放されないように設けられている請求項７に記載のランプシステム。
【請求項９】
前記第２ロックは、前記包装部材に収納された前記照明ランプと前記ダミースタータが接触しないように設けられている請求項７または請求項８に記載のランプシステム。
【請求項１０】
前記包装部材は、四角形の断面形状を備え、
前記凸部は前記四角形が備える角のうち対向する２つの角が内側に折り込まれた構造である請求項７から請求項９の何れか１項に記載のランプシステム。
【請求項１１】
前記ダミースタータは、前記第２接続部に対応した形状の端子を備えている請求項１から請求項１０の何れか１項に記載のランプシステム。
【請求項１２】
前記照明ランプは、前記蛍光ランプを取り付けるために前記照明器具に設けられているランプソケットに装着可能な口金を備えている請求項１から請求項１１の何れか１項に記載のランプシステム。
【請求項１３】
前記照明ランプに巻き付けられた説明書を備えている請求項１から請求項１２の何れか１項に記載のランプシステム。
【請求項１４】
前記説明書の外側に巻き付けられた帯封を備えている請求項１３に記載のランプシステム。
【請求項１５】
前記帯封は、前記照明ランプから外れないように固定されている請求項１４に記載のランプシステム。
【請求項１６】
前記包装部材は、
前記包装部材の一端に設けられ、底組みされた第１ロックと、
前記包装部材の他端に設けられ、フラップを備える第３ロックと、
前記第１ロックと第３ロックとの間に設けられ、側壁が内側に向かって突出した凸部を備えた第２ロックと、
を備え、
前記第１収納部は、前記第１ロックおよび前記第２ロックに挟まれた空間であり、
前記第２収納部は、前記第２ロックおよび前記第３ロックに挟まれた空間であり、
前記第２ロックは、前記凸部を引き戻すことで前記照明ランプを取り出すことができる請求項５または請求項６に記載のランプシステム。
【請求項１７】
前記包装部材は、
前記包装部材の一端に設けられ、底組みされた第１ロックと、
前記包装部材の他端に設けられ、フラップを備える第３ロックと、
仕切り部材と、
を備え、
前記第１収納部は、前記第１ロックおよび前記仕切り部材に挟まれた空間であり、
前記第２収納部は、前記仕切り部材および前記第３ロックに挟まれた空間である請求項５または請求項６に記載のランプシステム。
【請求項１８】
前記仕切り部材は、前記包装部材の他端と一体となっている請求項１７に記載のランプシステム。
【請求項１９】
前記包装部材は、
前記包装部材の一端に設けられ、底組みされた第１ロックと、
前記包装部材の他端に設けられ、フラップを備える第３ロックと、
前記ダミースタータを収納する第２包装部材と、
を備え、
前記第１収納部は、前記第２包装部材により形成され、
前記第２収納部は、前記第２包装部材および前記第３ロックに挟まれた空間である請求項５または請求項６に記載のランプシステム。
【請求項２０】
請求項１から請求項１９の何れか１項に記載のランプシステムが備えている前記照明ランプと、前記ダミースタータと、前記照明器具とを備えた照明装置。
【手続補正３】
【補正対象書類名】明細書
【補正対象項目名】０００７
【補正方法】変更
【補正の内容】
【０００７】
本発明に係るランプシステムは、グロースタータ形照明装置において蛍光ランプを点灯させる規格を備えた点灯装置と、該蛍光ランプの接続に適合した第１接続部と、グロースタータの接続に適合した第２接続部とを有している照明器具と、該第１接続部に取り付けられ、半導体発光素子を備えた照明ランプと、該第２接続部に取り付けられ、該第２接続部を導通させるためのダミースタータと、該照明ランプおよび該ダミースタータを収納するための包装部材と、を備えている。
【手続補正４】
【補正対象書類名】明細書
【補正対象項目名】０００９
【補正方法】削除
【補正の内容】
【手続補正書】
【提出日】平成30年7月20日(2018.7.20)
【手続補正１】
【補正対象書類名】特許請求の範囲
【補正対象項目名】全文
【補正方法】変更
【補正の内容】
【特許請求の範囲】
【請求項１】
グロースタータ形照明装置において蛍光ランプを点灯させる規格を備えた点灯装置と、前記蛍光ランプの接続に適合した第１接続部と、グロースタータの接続に適合した第２接続部とを有している照明器具と、
前記第１接続部に取り付けられ、半導体発光素子を備えた照明ランプと、
前記第２接続部に取り付けられ、前記第２接続部を導通させるためのダミースタータと、
前記照明ランプおよび前記ダミースタータを収納するための包装部材と、
を備えているランプシステム。
【請求項２】
前記照明ランプは、
前記半導体発光素子を点灯させるための回路を備えた電源基板と、
前記半導体発光素子を搭載した光源基板と、
透光性のカバーと、前記カバーの両端に配置された第１口金および第２口金とを有しており、内部に前記電源基板および前記光源基板が収められた外郭部と
を備え、
前記電源基板は、前記光源基板と隣り合う位置に、当該電源基板の実装面が前記照明ランプの長手方向に沿うように配置されており、
前記電源基板には前記第１口金を介して外部から電力が供給され、
前記第１口金および前記第２口金は、前記第１接続部に接続可能な形状である請求項１に記載のランプシステム。
【請求項３】
前記電源基板は、一部が前記第１口金の内部に収められ、一部が前記カバーの内部に収められている請求項２に記載のランプシステム。
【請求項４】
蛍光ランプを点灯させるためのグロースタータ形の照明器具に取り付け可能であり、半導体発光素子を備えた照明ランプと、
前記照明器具が備える、グロースタータを取り付けるための第２接続部に取り付け可能であり、前記第２接続部を導通させるためのダミースタータと、
前記照明ランプと、前記ダミースタータを収納し、前記ダミースタータが前記照明ランプよりも先に取り出されるように設けられた包装部材と
を備えているランプシステム。
【請求項５】
前記包装部材は筒状であり、前記照明ランプを収納するための第１収納部と、前記ダミースタータを収納するための第２収納部とを備え、
前記第１収納部と前記第２収納部は、前記包装部材の長手方向に隣接して設けられており、
前記包装部材は、前記第２収納部側から開封されるように設けられている請求項１から請求項４の何れか1項に記載のランプシステム。
【請求項６】
前記包装部材は、前記第１収納部側に開封を妨げるような構造を備えている請求項５に記載のランプシステム。
【請求項７】
前記包装部材は、側壁が内側に向かって突出した凸部を備えた第１ロック、第２ロックおよび第３ロックを備えており、
前記第１収納部は、前記第１ロックおよび前記第２ロックに挟まれた空間であり、
前記第２収納部は、前記第２ロックおよび前記第３ロックに挟まれた空間であり、
前記第３ロックは、凸部を引き戻すことで前記ダミースタータが取り出し可能に設けられており、
前記第２ロックは、凸部を引き戻すことで前記照明ランプが取り出し可能に設けられており、
前記第１ロックは、前記第２ロックおよび前記第３ロックに比して開放され難いように設けられている請求項５または請求項６に記載のランプシステム。
【請求項８】
前記第１ロックは開放されないように設けられている請求項７に記載のランプシステム。
【請求項９】
前記第２ロックは、前記包装部材に収納された前記照明ランプと前記ダミースタータが接触しないように設けられている請求項７または請求項８に記載のランプシステム。
【請求項１０】
前記包装部材は、四角形の断面形状を備え、
前記凸部は前記四角形が備える角のうち対向する２つの角が内側に折り込まれた構造である請求項７から請求項９の何れか１項に記載のランプシステム。
【請求項１１】
前記ダミースタータは、前記第２接続部に対応した形状の端子を備えている請求項１から請求項１０の何れか１項に記載のランプシステム。
【請求項１２】
前記照明ランプは、前記蛍光ランプを取り付けるために前記照明器具に設けられているランプソケットに装着可能な口金を備えている請求項１から請求項１１の何れか１項に記載のランプシステム。
【請求項１３】
前記照明ランプに巻き付けられた説明書を備えている請求項１から請求項１２の何れか１項に記載のランプシステム。
【請求項１４】
前記説明書の外側に巻き付けられた帯封を備えている請求項１３に記載のランプシステム。
【請求項１５】
前記帯封は、前記照明ランプから外れないように固定されている請求項１４に記載のランプシステム。
【請求項１６】
前記包装部材は、
前記包装部材の一端に設けられ、底組みされた第１ロックと、
前記包装部材の他端に設けられ、フラップを備える第３ロックと、
前記第１ロックと第３ロックとの間に設けられ、側壁が内側に向かって突出した凸部を備えた第２ロックと、
を備え、
前記第１収納部は、前記第１ロックおよび前記第２ロックに挟まれた空間であり、
前記第２収納部は、前記第２ロックおよび前記第３ロックに挟まれた空間であり、
前記第２ロックは、前記凸部を引き戻すことで前記照明ランプを取り出すことができる請求項５または請求項６に記載のランプシステム。
【請求項１７】
前記包装部材は、
前記包装部材の一端に設けられ、底組みされた第１ロックと、
前記包装部材の他端に設けられ、フラップを備える第３ロックと、
仕切り部材と、
を備え、
前記第１収納部は、前記第１ロックおよび前記仕切り部材に挟まれた空間であり、
前記第２収納部は、前記仕切り部材および前記第３ロックに挟まれた空間である請求項５または請求項６に記載のランプシステム。
【請求項１８】
前記仕切り部材は、前記包装部材の他端と一体となっている請求項１７に記載のランプシステム。
【請求項１９】
前記包装部材は、
前記包装部材の一端に設けられ、底組みされた第１ロックと、
前記包装部材の他端に設けられ、フラップを備える第３ロックと、
前記ダミースタータを収納する第２包装部材と、
を備え、
前記第２収納部は、前記第２包装部材により形成され、
前記第１収納部は、前記第２包装部材および前記第１ロックに挟まれた空間である請求項５または請求項６に記載のランプシステム。
【請求項２０】
請求項１から請求項１９の何れか１項に記載のランプシステムが備えている前記照明ランプと、前記ダミースタータと、前記照明器具とを備えた照明装置。
【手続補正２】
【補正対象書類名】明細書
【補正対象項目名】００４４
【補正方法】変更
【補正の内容】
【００４４】
ここで、第１収納部６１１の長さ寸法Ｌ６１は、照明ランプ３００の端子対３５１、３５７を除く部分の長さ寸法よりも大きく、照明ランプ３００の長さ寸法Ｌ１より小さいものとしても良い（Ｌ１＞Ｌ６１＞Ｌ１−２×Ｌ５）。また、第２収納部６１２の長さ寸法Ｌ６２は、ダミースタータ１２０の端子１２２を除く部分の長さ寸法Ｌ１１よりも大きく、ダミースタータ１２０の長さ寸法Ｌ１０より小さいものとしても良い（Ｌ１０＞Ｌ６２＞Ｌ１１）。この構成では、包装部材６００内部において、照明ランプ３００およびダミースタータ１２０が移動可能な範囲を制限することができる。従って、照明ランプ３００およびダミースタータ１２０が、輸送時に損傷を受ける可能性を抑制することが出来る。
【手続補正３】
【補正対象書類名】明細書
【補正対象項目名】００４７
【補正方法】変更
【補正の内容】
【００４７】
図１３は、本発明の実施の形態１の変形例におけるランプシステム６０の製造方法を示すフローチャートである。ランプシステム６０は次の手順で組み立てても良い。まず、包装部材６００に設けられた第３ロック６１５を折り畳み、凸部６２５を形成する（Ｓ１０５）。次に、ダミースタータ１２０を第２収納部６１２に収納する（Ｓ１０４）。次に、第２ロック６１４を折り畳み、凸部６２４を形成する（Ｓ１０３）。次に、照明ランプ３００を第１収納部６１１に収納する（Ｓ１０２）。次に、第１ロック６１３を閉塞する（Ｓ１０１）。この時、第１ロック６１３の開封を妨げるように、凸部６２３を設ける。
【国際調査報告】
2017146056.tif 000046
2017146056.tif 000047
2017146056.tif 000048
2017146056.tif 000049